(57)【要約】  本発明は、壁３に対する、床上張り２と前記壁３との間の接続継ぎ目１を覆う幅木４の押し付けのための装置に関し、この装置が、前記幅木４に隣接する押圧頭部７と、この押圧頭部７のために、前記床上張り２に対して支持される支持脚部６とを有している。簡単な取扱い条件を提供するために、前記押圧頭部７および前記支持脚部６が、締付けレバー５の部分であり、この締付けレバーが、前記床上張り２に面した、前記支持脚部６の側に、摩擦面１１を有していること、および、前記支持脚部６が、前記締付けレバー５の締付け位置において、重量収容部１２を備える前記締付けレバー５のための旋回支承部を形成していることが行われる。
2019502842.tif 000002
【特許請求の範囲】
【請求項１】
壁（３）に対する、床上張り（２）と前記壁（３）との間の接続継ぎ目（１）を覆う幅木（４）の押し付けのための装置であって、この装置が、
前記幅木（４）に隣接する押圧頭部（７）と、この押圧頭部（７）のために、前記床上張り（２）に対して支持される支持脚部（６）とを有している様式の上記装置において、
前記押圧頭部（７）および前記支持脚部（６）が、締付けレバー（５）の部分であり、この締付けレバーが、前記床上張り（２）に面した、前記支持脚部（６）の側に、摩擦面（１１）を有していること、および、
前記支持脚部（６）が、前記締付けレバー（５）の締付け位置において、重量収容部（１２）を備える前記締付けレバー（５）のための旋回支承部を形成していることを特徴とする装置。
【請求項２】
床側の前記摩擦面（１１）は、円筒形の転動面の様式で形成されていることを特徴とする請求項１に記載の装置。
【請求項３】
前記締付けレバー（５）は、前記幅木（４）に面した、前記押圧頭部（７）の側に、円筒面を形成する摩擦面（１１）を有していることを特徴とする請求項１または２に記載の装置。
【請求項４】
前記締付けレバー（５）は、互いに結合された２つの側桁（８）を有しており、
これら側桁（８）が、
床側で、前記支持脚部（６）としての脚部板（９）を、および、前記幅木（４）の側で、前記押圧頭部（７）としての頭部板（１０）を担持しており、且つ、
前記床上張り（２）とは反対側に向いている側で、前記重量収容部（１２）を形成していることを特徴とする請求項１から３のいずれか一つに記載の装置。
【発明の詳細な説明】
【技術分野】
【０００１】
本発明は、壁に対する、床上張りと前記壁との間の接続継ぎ目を覆う幅木の押し付けのための装置に関し、この装置が、前記幅木に隣接する押圧頭部と、この押圧頭部のために、前記床上張りに対して支持される支持脚部とを有している。
【背景技術】
【０００２】
壁と、床上張りとこの壁との間の接続継ぎ目を架橋する幅木との間の、粘着結合の硬化のために、粘着剤の少なくとも部分的な硬化によって、幅木の十分な付着性が壁において達成されるまで、幅木を、壁の所望された位置において、押し付けられた状態で保持することは必要である。
この目的のために、１つの装置を使用することは公知であり（特許文献１）、この装置が、床上張りの端面を備え、壁に対して横方向に延在する、有歯条片を有しており、この有歯条片に沿って、幅木に対して位置調節可能な押圧頭部が移動される。
この押圧頭部は、この目的のために、支持脚部を備えており、この支持脚部が、有歯条片を、簡単な留め金ラチェットの様式に従い、留め金としてのばね弾性的な舌状部でもって収容し、従って、支持脚部が、この有歯条片に沿って、ただ壁への方向にだけ移動され得、しかしながら、この壁に対して逆方向に移動され得ない。押圧頭部の解放のために、有歯条片が、幅木領域内において切断されねばならないことは別として、この有歯条片の部分は、粘着された幅木の下側で、もはや除去され得ず、従って、床上張りと幅木との間で、有歯条片の厚さによって規定される継ぎ目が、自由な状態に留まり、この有歯条片の慎重でない切断の際に、条片残部が継ぎ目を通って突出する。
【先行技術文献】
【特許文献】
【０００３】
【特許文献１】国際出願公開第２０１５／１０１７４９  Ａ１号パンフレット
【発明の概要】
【発明が解決しようとする課題】
【０００４】
従って、本発明の課題は、壁に対する、幅木の押し付けのための装置を、幅木が、床上張りに対して継ぎ目のない接続のもとで、壁における粘着固定のために、しかも極めて簡単な構造手段でもって、押し付けられた状態で保持され得るように、発展させることである。
【課題を解決するための手段】
【０００５】
冒頭に記載された様式の装置を出発点として、本発明は、この提示された課題を、押圧頭部および支持脚部が、締付けレバーの部分であり、この締付けレバーが、床上張りに面した、支持脚部の側に、摩擦面を有していること、および、支持脚部が、締付けレバーの締付け位置において、重量収容部を備える前記締付けレバーのための旋回支承部を形成していることによって解決する。
【発明の効果】
【０００６】
この構成に基づいて、床上張りの上に載置された締付けレバーは、支持脚部によって形成された旋回支承部を中心として、幅木に対して、押圧頭部が適当な締付け力の作用もとで幅木に当接するまで、下方へと旋回され得る。この締付けレバーの旋回可能性の理由で、幅木もしくは壁からの、締付けレバー（Ｋｌｅｍｍｌｅｉｓｔｅ）の支持脚部の間隔の、精確な維持は問題ではない。何故ならば、間隔差において、単に、幅木に当接する押圧頭部の高さ位置が変化するだけであるからである。
締付けレバーが適当な重量負荷を受けた場合、支持脚部の床側の摩擦面は、この支持脚部が、床上張りに沿って、壁から離れるように導かれることを防止し、且つ、これに伴って、壁における、幅木の締付け保持を保障する。この目的のために、締付けレバーは、重量収容部を備えており、この重量収容部が、重量負荷のための異なる対象物を収容可能である。
【０００７】
特に簡単な構造状況は、床側の摩擦面が、円筒形の転動面の様式で形成されている場合、与えられる。何故ならば、この場合、円筒形の転動面が、旋回支承部を形成し、従って、締付けレバーにおける、支持脚部の如何なる枢着部も、旋回支承部の形成のために必要としないからである。
【０００８】
幅木の側で、この幅木における締付けレバーの、良好な、滑りのない当接を達成するために、締付けレバーは、幅木に面した押圧頭部の側に、同様に、円筒面を形成する摩擦面を有していることは可能である。この摩擦面の円筒形の形状は、幅木のそれぞれの断面形状、および、異なる高さ位置（Ｈａｅｈｅｎｌａｇｅｎ）に対しての適合を許容する。
【０００９】
最も簡単な構造条件の保障のために、締付けレバーは、互いに結合された２つの側桁を有していることは可能であり、これら側桁が、床側で、支持脚部としての脚部板を、および、幅木の側で、押圧頭部としての頭部板を担持しており、且つ、床上張りとは反対側に向いている側で、重量収容部を形成している。
側桁の滑り木形状に続く脚部板によって、締付けレバーは、一種の揺動台を形成し、この揺動台が、締付けレバーの良好な取扱い性を保障し、とりわけ、相互の間隔を有して互いに設けられた側桁が、これら側桁の上側の端面変化でもって、重量負荷のための種々の対象物のための、有利な載置部を形成可能である。
【００１０】
図内において、本発明の対象が、例示的に図示されている。
【図面の簡単な説明】
【００１１】
【図１】壁に対する、幅木の、押し付けのための、本発明に従う装置の概略的な側面図である。
【図２】装置の平面図である。
【発明を実施するための形態】
【００１２】
壁３に対する、床上張り２と前記壁３との間の接続継ぎ目１を架橋する幅木４の押し付けのための、本願に従う装置は、締付けレバー５を備えており、この締付けレバーが、一方の側で支持脚部６を、他方の側で押圧頭部７を形成している。
締付けレバー５の図示された構造的な構成に基づいて、この締付けレバーは、２つの、互いに結合された側桁８から組み立てられており、これら側桁８が、床側で、支持脚部６としての脚部板９を、および、幅木４の側で、押圧頭部７としての頭部板１０を担持している。脚部板９、および、頭部板１０は、円筒形の摩擦面１１を形成しており、この摩擦面が、支持脚部６の領域内において転動面として役目を果たす。
床上張り２とは反対側に向いている側で、両方の側桁は、重量収容部１２を形成しており、従って、締付けレバー５が、この重量収容部１２の領域内において課された重量によって、図１の矢印１３の方向に付勢され得る。
【００１３】
その幅木を介して粘着被膜が壁３に固定粘着される、粘着被膜の硬化のための該幅木４を、適当な圧力のもとで、この壁３に隣接して固く保持することを可能にするために、締付けレバー５が、支持脚部６でもって、幅木４からの適当な間隔において、床上張り２の上に載置され、且つ、押圧頭部７が幅木４に当接し、且つ、この幅木が、締付けた状態で壁３に押し付けられるまで、旋回支承部を形成する支持脚部６を中心として、幅木４に対して旋回される。
支持脚部６が、摩擦面１１によって、位置ずれ不能に床上張り２に対して保持されることは、このための前提条件である。
幅木４に対して作用する締付け圧力の保持のために、その重量負荷に伴って現れる重量モーメントによって締付けレバー５を、幅木４が壁３に押し付けられた状態で保持されるように負荷するための、締付けレバー（Ｋｌｅｍｍｌｅｉｓｔｅ）５の該重量負荷が必要である。締付けレバー５の重量負荷のために、締付けレバーの重量収容部１２に配置される種々の対象物が使用され得る。
重量収容部１２の波状起伏によって、締付けレバー５の上で、負荷重量として使用される対象物の良好な保持が引き起こされ得る。締付けレバー５の解放のために、この締付けレバーは、単に、使用された負荷重量の除去の後、幅木４から旋回離脱され、且つ、床上張り２から持上げられる必要があるだけである。
【符号の説明】
【００１４】
１    接続継ぎ目
２    床上張り
３    壁
４    幅木
５    締付けレバー
６    支持脚部
７    押圧頭部
８    側桁
９    脚部板
１０  頭部板
１１  摩擦面
１２  重量収容部
１３  矢印
【図１】
2019502842.tif 000003
【図２】
2019502842.tif 000004
【国際調査報告】
2019502842.tif 000005
2019502842.tif 000006
2019502842.tif 000007
2019502842.tif 000008